(57)【要約】【課題】第１の操作部材と第２の操作部材との持ち替え操作を容易に行うことができる。【解決手段】レンズ鏡筒１０は、レンズ鏡筒本体１１の外周に、光軸と平行にガイドとして設けられた三脚座１２ａと、三脚座１２ａをスライド自在なスライド部材１２ｂとを備えている。スライド部材１２ｂは、第１の操作位置Ｘにある状態では、撮影者の手は、スライド部材１２ｂを介してズームリング１３に触れて回転することができる。スライド部材１２ｂは、撮影者の手の力が作用し、第１の操作位置Ｘから三脚座１２ａに沿ってスライドして第２の操作位置Ｙに移動する状態では、撮影者の手は、スライド部材１２ｂを介してフォーカスリング１４に触れて回転することができる。【選択図】        図１
2004219902.tif 000002
【特許請求の範囲】
【請求項１】
鏡筒本体の外周に、第１の操作部材を操作可能な第１の操作位置及び第２の操作部材を操作可能な第２の操作位置が、光軸方向の異なる位置にあるレンズ鏡筒であって、
前記鏡筒本体の側方に光軸と平行に設けられ、少なくとも前記第１の操作位置にガイド部を有するガイド部材と、
前記ガイド部材に設けられ、前記第１の操作位置と前記第２の操作位置との間をスライド移動するスライド部材とを備え、
前記スライド部材がスライドすることにより、前記第１の操作部材及び前記第２の操作部材を、前記鏡筒本体を支持しながら操作可能なこと、
を特徴とするレンズ鏡筒。
【請求項２】
請求項１に記載のレンズ鏡筒において、
前記スライド部材の可動範囲を制限する可動範囲制限手段を備え、
前記可動範囲制限手段は、
前記スライド部材に設けられた少なくとも１つの係止端部と、
前記ガイド部材に設けられ、前記スライド部材を前記係止端部に当接して停止させる制限部材と、
を備えることを特徴とするレンズ鏡筒。
【請求項３】
請求項２に記載のレンズ鏡筒において、
前記ガイド部材は、下面に三脚を着脱する少なくとも１つの三脚着脱部を備える三脚座であって、
前記可動範囲制限手段は、前記ガイド部材の下面側に設けられ、
前記スライド部材の下面に前記係止端部を端部とする開口部を備え、
前記スライド部材が前記第１の操作位置にあるときに、前記三脚着脱部が前記開口部内にあること、
を特徴とするレンズ鏡筒。
【請求項４】
請求項２に記載のレンズ鏡筒において、
前記可動範囲制限手段は、前記ガイド部材の鏡筒側に設けられること、
を特徴とするレンズ鏡筒。
【請求項５】
装置本体の外面に、第１の操作部材を操作可能な第１の操作位置及び第２の操作部材を操作可能な第２の操作位置が、所定方向の異なる位置にある操作用支持具であって、
前記装置本体の外面に平行に設けられ、少なくとも前記第１の操作位置にガイド部を有するガイド部材と、
前記ガイド部材に設けられ、前記第１の操作位置と前記第２の操作位置との間をスライド移動するスライド部材とを備え、
前記スライド部材がスライドすることにより、前記第１の操作部材及び前記第２の操作部材を、前記装置本体を支持しながら操作可能なこと、
を特徴とする操作用支持具。
【発明の詳細な説明】
【０００１】
【発明の属する技術分野】
本発明は、三脚等を取り付け可能なレンズ鏡筒と操作用支持具に関するものである。
【０００２】
【従来技術】
サッカーや野球等の広いフィールド内で行われるスポーツを撮影する場合に、遠方の被写体を撮影するために、焦点距離の長い交換レンズ（レンズ鏡筒という）が用いられる。このようなレンズ鏡筒は、大きくて重いので、三脚や一脚（三脚等という）に取り付けて撮影される場合が多い。
【０００３】
図７は、従来のレンズ鏡筒を示す側面図である。レンズ鏡筒１００は、レンズ鏡筒本体１１０と、三脚座１２０ａとを備えており、カメラ２００に取り付けられる。
レンズ鏡筒本体１１０は、カメラ２００側から順に、ズームリング１３０とフォーカスリング１４０とが設けられている。ズームリング１３０は、回転することによって画角変化が自在なリングである。フォーカスリング１４０は、回転することによってピント合わせが自在なリングである。
【０００４】
三脚座１２０ａは、三脚等を固定するためにレンズ鏡筒本体１１０に備えられた三脚等の取り付け部であり、下面にねじ穴を備え、このねじ穴に三脚等を取り付けることによって、レンズ鏡筒１００の位置を固定する。
【０００５】
一方、三脚座の付いていない望遠レンズ付きカメラを三脚に取り付けて撮影するために、簡易型の望遠撮影用ブランケットが提案されている（例えば、特許文献１）。
【０００６】
【特許文献１】
登録実用新案第２０００−３０６４５１４号公報  第１図
【０００７】
【発明が解決しようとする課題】
図８は、図７のレンズ鏡筒のズームリングを操作する状態を示す図、図９は、図７のレンズ鏡筒のフォーカスリングを操作する状態を示す図である。
しかし、三脚座１２０ａを備えたレンズ鏡筒本体１１０は、三脚撮影を前提とした非常に重い構造であるので、手持ち撮影をしようとした場合には、図８のズームリング操作時と、図９のフォーカスリング操作時とでは、レンズ鏡筒本体１１０を支持する手の位置を変更する必要があるので、その変更が容易ではなかった。
【０００８】
即ち、ズームリング１３０の位置からフォーカスリング１４０の位置への持ち替え操作が必要な場合、又は、フォーカスリング１４０の位置からズームリング１３０の位置への持ち替え操作が必要な場合には、一度、レンズ鏡筒本体１１０を上に投げ上げて手を離した瞬間に手の位置を変更したり、手を少しずつ三脚座１２０ａの上を滑らせることによって手の位置を変更したりするために、持ち替え操作に、大変苦慮するという問題があった。
【０００９】
一方、後者の望遠撮影用ブランケットは、カメラのヨコ位置又はタテ位置のどちらでも安定した撮影ができるように配慮されているが、望遠撮影用ブランケットを使用せずに手持ち撮影する場合に、ズームリングとフォーカスリングとを持ち替えるときの、手の位置を変更することによる持ち替え操作に対しては、何らの対策もたてられていなかった。
【００１０】
本発明の課題は、第１の操作部材と第２の操作部材との持ち替え操作を容易に行うことができるレンズ鏡筒と操作用支持具を提供することである。
【００１１】
【課題を解決するための手段】
前記課題を解決するために、請求項１の発明は、鏡筒本体の外周に、第１の操作部材を操作可能な第１の操作位置及び第２の操作部材を操作可能な第２の操作位置が、光軸方向の異なる位置にあるレンズ鏡筒であって、前記鏡筒本体の側方に光軸と平行に設けられ、少なくとも前記第１の操作位置にガイド部を有するガイド部材と、前記ガイド部材に設けられ、前記第１の操作位置と前記第２の操作位置との間をスライド移動するスライド部材とを備え、前記スライド部材がスライドすることにより、前記第１の操作部材及び前記第２の操作部材を、前記鏡筒本体を支持しながら操作可能なこと、を特徴とするレンズ鏡筒である。
【００１２】
請求項２の発明は、請求項１に記載のレンズ鏡筒において、前記スライド部材の可動範囲を制限する可動範囲制限手段を備え、前記可動範囲制限手段は、前記スライド部材に設けられた少なくとも１つの係止端部と、前記ガイド部材に設けられ、前記スライド部材を前記係止端部に当接して停止させる制限部材と、を備えることを特徴とするレンズ鏡筒である。
【００１３】
請求項３の発明は、請求項２に記載のレンズ鏡筒において、前記ガイド部材は、下面に三脚を着脱する少なくとも１つの三脚着脱部を備える三脚座であって、前記可動範囲制限手段は、前記ガイド部材の下面側に設けられ、前記スライド部材の下面に前記係止端部を端部とする開口部を備え、前記スライド部材が前記第１の操作位置にあるときに、前記三脚着脱部が前記開口部内にあること、を特徴とするレンズ鏡筒である。
【００１４】
請求項４の発明は、請求項２に記載のレンズ鏡筒において、前記可動範囲制限手段は、前記ガイド部材の鏡筒側に設けられること、を特徴とするレンズ鏡筒である。
【００１５】
請求項５の発明は、装置本体の外面に、第１の操作部材を操作可能な第１の操作位置及び第２の操作部材を操作可能な第２の操作位置が、所定方向の異なる位置にある操作用支持具であって、前記装置本体の外面に平行に設けられ、少なくとも前記第１の操作位置にガイド部を有するガイド部材と、前記ガイド部材に設けられ、前記第１の操作位置と前記第２の操作位置との間をスライド移動するスライド部材とを備え、前記スライド部材がスライドすることにより、前記第１の操作部材及び前記第２の操作部材を、前記装置本体を支持しながら操作可能なこと、を特徴とする操作用支持具である。
【００１６】
【発明の実施の形態】
以下、図面等を参照して、本発明の実施の形態について、さらに詳しくに説明する。
図１は、本発明によるレンズ鏡筒の実施形態を示す側面図である。
この実施形態のレンズ鏡筒１０は、レンズ鏡筒本体１１と、スライドガイド１２とを備え、カメラ２０に取り付けられている。
レンズ鏡筒本体１１は、カメラ２０側から順に、第１の操作部材としてのズームリング１３と、第２の操作部材としてのフォーカスリング１４とを備えている。ズームリング１３は、回転することによって画角変化が自在なリングである。フォーカスリング１４は、回転することによってピント合わせが自在なリングである。
【００１７】
スライドガイド１２は、レンズ鏡筒本体１１の基端部外周から延び出し、レンズ鏡筒本体１１の側方に光軸と平行に設けられ、三脚座１２ａ及びスライド部材１２ｂを備えている。
スライドガイド１２は、ズームリング１３を操作するのに好適な第１の操作位置Ｘと、フォーカスリング１４を操作するのに好適な第２の操作位置Ｙが、光軸方向の前後にある。
【００１８】
図２は、図１のスライドガイドを矢印ＩＩの方向から見た拡大図である。
スライドガイド１２は、スライド部材１２ｂがスライドする移動量を制限する可動範囲制限手段を備えており、この可動範囲制限手段は、三脚座１２ａが備えた制限部材としての制限ピン１５と、スライド部材１２ｂに形成された開口部１７の端部である係止端部１７ａ，１７ｂとを備えている。
【００１９】
三脚座１２ａは、レンズ鏡筒本体１１の下面から直角に延び出し、レンズ鏡筒本体１１の側方に光軸と略平行に設けられ、下面を三脚等で固定するために、三脚着脱部としての三脚ネジ穴１６を備えた三脚の取り付け部材である。三脚ネジ穴１６は、三脚を固定するためのネジ穴である。
また、三脚座１２ａは、スライド部材１２ｂのガイド部材としての機能を果たし、その一端に制限部材としての制限ピン１５を備えている。制限ピン１５は、スライド部材１２ｂの移動距離を制限して、三脚座１２ａから抜け落ちるのを防止するピンである。
【００２０】
スライド部材１２ｂは、ガイド部材としての三脚座１２ａにスライド自在に設けられ、第２の操作位置Ｙにスライド移動する把持部としても機能を果たす部材である。スライド部材１２ｂは、下面に開口部１７を形成し、開口部１７の一端及び他端が係止端部１７ａ，１７ｂとして機能し、ガイド部材１２ｂの制限ピン１５に当接することによって、スライドを停止させる部材である。
スライド部材１２ｂの厚みは、制限ピン１５が三脚座１２ａから突出する高さと略同じ高さである。
【００２１】
次に、本実施形態によるスライド部材１２ｂの動作について説明する。
図３は、図１のスライド部材をズームリング側に配置した状態を示す側面図である。
図３において、スライド部材１２ｂは、第１の操作位置Ｘにある。この状態では、撮影者の手は、スライド部材１２ｂを介してズームリング１３に触れて回転することができる。
また、図３で示す状態のときには、三脚ネジ穴１６の全ては、図２（Ａ）に示すように、開口部１７の開口領域の範囲内にあるから、三脚等は、開口部１７から三脚ネジ穴１６のいずれかに取り付けることができる。
なお、制限ピン１５は、開口部１７の係止端部１７ａに接触しており、スライド部材１７は、それ以上、カメラ２０の方へスライドすることができない。
【００２２】
図４は、図１のスライド部材をフォーカスリング側に配置した状態を示す側面図である。
スライド部材１２ｂは、撮影者の手の力が作用し、第１の操作位置Ｘから三脚座１２ａに沿ってスライドして第２の操作位置Ｙに移動する。この状態では、撮影者の手は、スライド部材１２ｂを介してフォーカスリング１４に触れて回転することができる。
このとき、制限ピン１５は、図２（Ｂ）に示すように、開口部１７の係止端部１７ｂに接触しており、スライド部材１２ｂは、それ以上、レンズ鏡筒１０の先端部の方向へスライド移動することができない。従って、スライド部材１２ｂが、三脚座１２ａから抜け落ちることが防止される。
【００２３】
スライド部材１２ｂは、再度、フォーカスリング１４の操作状態からズームリング１３の操作状態へと移行する場合に、三脚座１２ａをガイドにして、第１の操作位置Ｘへとスライドされ、ズームリング１３を回転することができる配置に移動する。
【００２４】
また、レンズ鏡筒本体１０は、スライド部材１２ｂがズームリング１３の側に移動して、制限ピン１５が開口部１７の係止端部１７ａに衝突してスライドが停止するため、三脚ネジ穴１６が開口部１７の内に納まり、スライド部材１２ｂの開口部１７から三脚に取り付けられる。
従って、三脚座１２ａは、スライド部材１２ｂをガイドする機能を設けることにより、三脚を固定する機能を損なうことはない。
【００２５】
本実施形態によれば、レンズ鏡筒本体１１を支持する手の位置の変更が容易に行え、フォーカスリング１４とズームリング１３との持ち替え操作を容易に行うことができる。
【００２６】
（変形形態）
以上説明した実施形態に限定されることなく、種々の変形や変更が可能であって、それらも本発明の均等の範囲内である。
（１）本実施形態では、可動範囲制限手段（図２の制限ピン１５と、開口部１７の係止端部１７ａ、１７ｂ）は、下面側に設けた例で説明したが、図５、図６に示すように、三脚座１２ａの上面側に設けた制限ピン１５ー２と、スライド部材１２ｂの上面側に設けた開口部１７ー２の係止端部１７ー２ａ、１７−２ｂによって実施してもよい。このようにすれば、スライド部材１２ｂの移動時に、制限ピン１５ー２が掌に触るという違和感がなくなる。
【００２７】
（２）本実施形態では、スライド部材（操作用把持具）をレンズ鏡筒に平行に備えているが、スライド部材（操作用把持具）を他の装置に平行に備えて、レンズ鏡筒の場合と同様に、第１の操作部材と第２の操作部材の持ち替え操作を容易に行えるようにしてもよい。
【００２８】
【発明の効果】
以上詳しく説明したように、本発明によれば、以下のような効果がある。
（１）スライド部材は、第１の操作位置と第２の操作位置とをスライドすることができるので、スライド部材を介した手によって、第１の操作部材と第２の操作部材との持ち替え操作を容易に行うことができる。
【００２９】
（２）スライド部材の可動範囲を制限する可動範囲制限手段を備えているので、スライド部材は、可動範囲内に限りスライドすることができ、ガイド部材から抜け落ちるのを防止することができる。
【００３０】
（３）スライド部材が第１の操作位置内にあるときに、三脚着脱部の位置に開口部が位置するので、三脚の着脱が自在であり、三脚座としての機能を損なうことなく、ガイド部材としての機能を発揮することができる。
【００３１】
（４）可動範囲制限手段は、ガイド部材の鏡筒側に設ければ、スライド部材をスライドさせるときに、スライド部材を支持する手が、制限部材に引っかからないようすることができる。
【図面の簡単な説明】
【図１】本発明によるレンズ鏡筒の実施形態を示す側面図である。
【図２】図１のスライドガイドを矢印ＩＩ方向から見た拡大図である。
【図３】図１のスライド部材をズームリング側に配置した状態を示す図である。
【図４】図１のスライド部材をフォーカスリング側に配置した状態を示す図である。
【図５】本発明によるレンズ鏡筒のスライドガイドの変形形態を示す図である。
【図６】本発明によるレンズ鏡筒のスライドガイドの変形形態を示す図である。
【図７】従来のレンズ鏡筒を示す側面図である。
【図８】図７の三脚座を介してズームリングを操作する状態を示す図である。
【図９】図７の三脚座を介してフォーカスリングを操作する状態を示す図である。
【符号の説明】
１０    レンズ鏡筒
１１    レンズ鏡筒本体
１２    スライドガイド
１２ａ  三脚座
１２ｂ  スライド部材
１３    ズームリング
１４    フォーカスリング
１５    制限ピン
１６    三脚ネジ穴
１７    開口部
１７ａ，１７ｂ  係止端部
Ｘ      第１の操作位置
Ｙ      第２の操作位置
【図１】
2004219902.tif 000003
【図２】
2004219902.tif 000004
【図３】
2004219902.tif 000005
【図４】
2004219902.tif 000006
【図５】
2004219902.tif 000007
【図６】
2004219902.tif 000008
【図７】
2004219902.tif 000009
【図８】
2004219902.tif 000010
【図９】
2004219902.tif 000011